(57)【要約】【課題】供給側の携帯端末に悪影響が及ぶことを防止する。かつ、汎用性及び融通性を高める。【解決手段】制御部４ａは、電圧検出部２３ａによって測定された入力電圧に基づいて、携帯電話機１ｂの電池パック１９ｂの残容量の検知を行い、残容量有りと判定した場合は、昇降圧回路２４ａ及び充電回路２１ａを動作させる。昇降圧回路２４ａは、入力された電圧を充電可能な電圧へ昇圧させて、充電回路２１ａに供給する。制御部４ａは、残容量有りと判定した場合は、昇降圧回路２４ａ及び充電回路２１ａを停止させる。【選択図】図１
2007215249.tif 000002
【特許請求の範囲】
【請求項１】
供給電源から電力の供給を受けて充電される二次電池を備えた携帯端末であって、
前記二次電池を充電するための充電回路と、該充電回路が、前記供給電源から電力の供給を受けて、前記二次電池を充電する際、当該充電回路に印加される入力電圧が、所定値以下のときは、前記充電回路をオフとする充電制御手段とを備えてなることを特徴とする携帯端末。
【請求項２】
前記入力電圧を前記二次電池へ充電可能な所定の電圧に昇圧又は降圧して、前記充電回路を介して前記二次電池へ供給するための電圧調整回路を備えたことを特徴とする請求項１記載の携帯端末。
【請求項３】
前記二次電池を充電するための電力は、電池を有する別の携帯端末から供給され、前記充電制御手段は、前記入力電圧に基づいて、前記別の携帯端末の電池の残容量を検知することを特徴とする請求項１又は２記載の携帯端末。
【請求項４】
前記二次電池からは別の携帯端末へ電力の供給が可能とされていることを特徴とする請求項１、２又は３記載の携帯端末。
【請求項５】
前記二次電池の出力電圧を所定の電圧へ昇圧又は降圧する出力電圧調整回路を備えたことを特徴とする請求項４記載の携帯端末。
【請求項６】
別の携帯端末へ電力の供給が可能な供給電源としての電池を備えた携帯端末であって、
前記電池の電圧が、所定値以下のときは、前記電池から前記別の携帯端末への電力の供給を停止する電源制御手段を備えてなることを特徴とする携帯端末。
【請求項７】
前記電池の電圧を所定の電圧に昇圧又は降圧して、前記別の携帯端末へ供給するための電圧調整回路を備えたことを特徴とする請求項６記載の携帯端末。
【請求項８】
前記電源制御手段は、前記電池の電圧が所定値以下になると、当該携帯端末の一部又は全部の負荷に対して前記電池からの電力の供給を制限する低消費電力モードに移行して、前記別の携帯端末への電力の供給を継続することを特徴とする請求項６又は７記載の携帯端末。
【請求項９】
供給電源から電力の供給を受けて充電される二次電池を備えた第１の携帯端末と、外部へ電力の供給が可能な電池を備えた第２の携帯端末とが、充電用ケーブルを介して接続されて構成され、前記第１の携帯端末の二次電池が、前記第２の携帯端末の電池から電力の供給を受けて充電される携帯端末の充電システムであって、
前記第１の携帯端末は、請求項１乃至５のいずれか１に記載の携帯端末からなることを特徴とする携帯端末の充電システム。
【請求項１０】
供給電源から電力の供給を受けて充電される二次電池を備えた第１の携帯端末と、外部へ電力の供給が可能な電池を備えた第２の携帯端末とが、充電用ケーブルを介して接続されて構成され、前記第１の携帯端末の二次電池が、前記第２の携帯端末の電池から電力の供給を受けて充電される携帯端末の充電システムであって、
前記第２の携帯端末は、請求項６、７又は８記載の携帯端末からなることを特徴とする携帯端末の充電システム。
【請求項１１】
供給電源から電力の供給を受けて充電される二次電池を備えた第１の携帯端末と、外部へ電力の供給が可能な電池を備えた第２の携帯端末とを、充電用ケーブルを介して接続し、前記第１の携帯端末の二次電池に、前記第２の携帯端末の電池から電力を供給して前記二次電池を充電する携帯端末の充電方法であって、
前記第１の携帯端末は、請求項１乃至５のいずれか１に記載の携帯端末からなることを特徴とする携帯端末の充電方法。
【請求項１２】
供給電源から電力の供給を受けて充電される二次電池を備えた第１の携帯端末と、外部へ電力の供給が可能な電池を備えた第２の携帯端末とを、充電用ケーブルを介して接続し、前記第１の携帯端末の二次電池に、前記第２の携帯端末の電池から電力を供給して前記二次電池を充電する携帯端末の充電方法であって、
前記第２の携帯端末は、請求項６、７又は８記載の携帯端末からなることを特徴とする携帯端末の充電方法。
【発明の詳細な説明】
【技術分野】
【０００１】
この発明は、携帯端末、携帯端末の充電システム及び携帯端末の充電方法に係り、例えば、別の携帯端末から電力を受給して電池パックの充電が可能な携帯端末、携帯端末の充電システム及び携帯端末の充電方法に関する。
【背景技術】
【０００２】
近年、移動中や外出先でも使用可能であるという高い利便性によって、携帯電話機等の携帯端末が広く普及してきている。このような携帯端末では、電源として充電可能な二次電池が用いられる。
すなわち、携帯端末においては、電池として、扁平な略直方体形状の電池パックが、携帯端末の筐体の裏面側に設けられた格納部内に着脱自在に装着され、かつ、平板状の電池カバーが筐体に着脱自在に取り着けられている。電池パックは、リチウムイオン二次電池等の充電可能な電池からなっている。
【０００３】
この電池パックの消費電力を抑えるために、低消費電力のＣＰＵを採用する等工夫がなされている。
しかしながら、長時間継続して使用すると、電池の電圧低下が避けられず、例えば、移動中でコンセント等の電源が近くになく充電が困難な状況では、サービス圏内であっても、通信中に切断してしまうというような不都合も生じていた。
また、外出先で充電が可能な場合であっても、使用している電池パックに対応した適合した規格のＡＣアダプタがなければ充電はできない。
【０００４】
ところで、複数の知合い同士で、外出するような場合でも、各人がそれぞれ携帯端末を携帯していることも、珍しいことではない。電池の残容量が少ない場合で、どうしても自分が所有している携帯端末を作動させたいときに、同一種（例えば、寸法形状が同一）の電池パックを用いている携帯端末を持ち、かつ、使用していない人から、残容量が十分な電池パックを借用することも可能である。
しかしながら、十分な残容量があっても、形状等が異なる等異種の電池パックでは、交換して用いることもできない。また、交換できる場合でも、両者は同時には使用できない。
【０００５】
このため、接続ケーブルを介して携帯端末同士を接続して、一方の携帯端末の電池から、他方の携帯端末の電池に電力を供給して残容量が少ない電池を充電させる技術が提案されている。（例えば、特許文献１参照。）。
この技術では、外部への電力供給可能な携帯端末の電源部は、電池パックと、自機の電池パックを充電するための充電回路と、電池パックから得られた電圧を、受給側の携帯端末の電池パックに充電可能な電圧まで昇圧する昇圧回路と、電池パックと外部Ｉ／Ｏコネクタとの間に、充電回路と昇圧回路とのうちいずれかを介在させ、充電のための電力の供給と受給とを切り換えるための切換回路とを有している。
【０００６】
この充電方法では、充電対象の受給側の携帯端末を、供給側の携帯端末に、接続ケーブルを介して接続して、供給側の携帯端末の電池パックから昇圧回路を介して受給側の携帯端末の電池パックへ電力を送ってこの電池パックを充電する。
なお、上記電力供給可能な携帯端末の外部Ｉ／ＯコネクタにＡＣアダプタ（例えば、特許文献２参照。）を接続して電池パックを充電する場合には、充電回路を介して電池パックに電力が供給される。
【特許文献１】特開２００１−０８６６５５号公報
【特許文献２】特表２００５−５１８１７５号公報
【発明の開示】
【発明が解決しようとする課題】
【０００７】
解決しようとする第１の問題点は、上記従来技術では、供給側の携帯端末の電池パックの残容量の検知を行うことができないので、受給側の電池パックの充電が完了するまでに、例えば、供給側の携帯端末の電池パックが、放電し過ぎて携帯端末の動作可能電圧を維持できない場合がある等、供給側の携帯端末に悪影響が及ぶことがあるという点である。
また、第２の問題点は、上記従来技術では、電力供給元として使用可能な携帯端末やＡＣアダプタ等が限られてしまい、汎用性や融通性に乏しいという点である。
例えば、電池パックに対応した電圧まで昇圧する昇圧回路を有する上記従来技術の電力供給可能な携帯端末を、電力供給元として使用しなければならない。また、上記従来技術の電力供給可能な携帯端末の電池パックに充電する場合でも、使用している電池パックに対応した適合した規格（例えば所定の出力電圧）のＡＣアダプタがなければ充電はできない。  
【０００８】
この発明は、上述の事情に鑑みてなされたもので、例えば、供給側の携帯端末の電池が、放電し過ぎないように、保護することができ、供給側の携帯端末に悪影響が及ぶことを防止することができる携帯端末、携帯端末の充電システム及び携帯端末の充電方法を提供することを第１の目的としている。
また、汎用性及び融通性を向上させ、電力供給元として、比較的多種類の携帯端末やＡＣアダプタ等を使用することができる携帯端末、携帯端末の充電システム及び携帯端末の充電方法を提供することを第２の目的としている。
【課題を解決するための手段】
【０００９】
上記課題を解決するために、請求項１記載の発明は、供給電源から電力の供給を受けて充電される二次電池を備えた携帯端末に係り、上記二次電池を充電するための充電回路と、該充電回路が、上記供給電源から電力の供給を受けて、上記二次電池を充電する際、当該充電回路に印加される入力電圧が、所定値以下のときは、上記充電回路をオフとする充電制御手段とを備えてなることを特徴としている。
【００１０】
また、請求項２記載の発明は、請求項１記載の携帯端末に係り、上記入力電圧を上記二次電池へ充電可能な所定の電圧に昇圧又は降圧して、上記充電回路を介して上記二次電池へ供給するための電圧調整回路を備えたことを特徴としている。
【００１１】
また、請求項３記載の発明は、請求項１又は２記載の携帯端末に係り、上記二次電池を充電するための電力は、電池を有する別の携帯端末から供給され、上記充電制御手段は、上記入力電圧に基づいて、上記別の携帯端末の電池の残容量を検知することを特徴としている。
【００１２】
また、請求項４記載の発明は、請求項１、２又は３記載の携帯端末に係り、上記二次電池からは別の携帯端末へ電力の供給が可能とされていることを特徴としている。
【００１３】
また、請求項５記載の発明は、請求項４記載の携帯端末に係り、上記二次電池の出力電圧を所定の電圧へ昇圧又は降圧する出力電圧調整回路を備えたことを特徴としている。
【００１４】
また、請求項６記載の発明は、別の携帯端末へ電力の供給が可能な供給電源としての電池を備えた携帯端末に係り、上記電池の電圧が、所定値以下のときは、上記電池から上記別の携帯端末への電力の供給を停止する電源制御手段を備えてなることを特徴としている。
【００１５】
また、請求項７記載の発明は、請求項６記載の携帯端末に係り、上記電池の電圧を所定の電圧に昇圧又は降圧して、上記別の携帯端末へ供給するための電圧調整回路を備えたことを特徴としている。
【００１６】
また、請求項８記載の発明は、請求項６又は７記載の携帯端末に係り、上記電源制御手段は、上記電池の電圧が所定値以下になると、当該携帯端末の一部又は全部の負荷に対して上記電池からの電力の供給を制限する低消費電力モードに移行して、上記別の携帯端末への電力の供給を継続することを特徴としている。
【００１７】
また、請求項９記載の発明は、供給電源から電力の供給を受けて充電される二次電池を備えた第１の携帯端末と、外部へ電力の供給が可能な電池を備えた第２の携帯端末とが、充電用ケーブルを介して接続されて構成され、上記第１の携帯端末の二次電池が、上記第２の携帯端末の電池から電力の供給を受けて充電される携帯端末の充電システムに係り、上記第１の携帯端末は、請求項１乃至５のいずれか１に記載の携帯端末からなることを特徴としている。
【００１８】
また、請求項１０記載の発明は、供給電源から電力の供給を受けて充電される二次電池を備えた第１の携帯端末と、外部へ電力の供給が可能な電池を備えた第２の携帯端末とが、充電用ケーブルを介して接続されて構成され、上記第１の携帯端末の二次電池が、上記第２の携帯端末の電池から電力の供給を受けて充電される携帯端末の充電システムに係り、上記第２の携帯端末は、請求項６、７又は８記載の携帯端末からなることを特徴としている。
【００１９】
また、請求項１１記載の発明は、供給電源から電力の供給を受けて充電される二次電池を備えた第１の携帯端末と、外部へ電力の供給が可能な電池を備えた第２の携帯端末とを、充電用ケーブルを介して接続し、上記第１の携帯端末の二次電池に、上記第２の携帯端末の電池から電力を供給して上記二次電池を充電する携帯端末の充電方法に係り、上記第１の携帯端末は、請求項１乃至５のいずれか１に記載の携帯端末からなることを特徴としている。
【００２０】
また、請求項１２記載の発明は、供給電源から電力の供給を受けて充電される二次電池を備えた第１の携帯端末と、外部へ電力の供給が可能な電池を備えた第２の携帯端末とを、充電用ケーブルを介して接続し、上記第１の携帯端末の二次電池に、上記第２の携帯端末の電池から電力を供給して上記二次電池を充電する携帯端末の充電方法に係り、上記第２の携帯端末は、請求項６、７又は８記載の携帯端末からなることを特徴としている。
【発明の効果】
【００２１】
この発明の構成によれば、充電制御手段が、入力電圧が、所定値以下のときは、充電回路をオフとするので、例えば、供給側の携帯端末の電池が、放電し過ぎないように、保護することができ、供給側の携帯端末に悪影響が及ぶことを防止することができる。
また、電圧調整回路が、入力電圧を電池へ充電可能な電圧へ昇圧又は降圧することによって、汎用性及び融通性を向上させ、電力供給元として、比較的多種類の携帯端末やＡＣアダプタ等を使用することができる。
【発明を実施するための最良の形態】
【００２２】
充電制御手段が、入力電圧が、所定値以下のときは、充電回路をオフとすることによって、例えば、供給側の携帯端末の電池が、放電し過ぎないように、保護することができ、供給側の携帯端末に悪影響が及ぶことを防止するという第１の目的を実現した。
また、電圧調整回路が、入力電圧を電池へ充電可能な電圧へ昇圧又は降圧することによって、汎用性及び融通性を向上させ、電力供給元として、比較的多種類の携帯端末やＡＣアダプタ等を使用するという第２の目的を実現した。
【実施例１】
【００２３】
図１は、この発明の第１の実施例である携帯電話機の充電方法を説明するための説明図、図２は、同携帯電話機の構成を示すブロック図、図３及び図４は、同携帯電話機の充電方法を説明するための処理手順図、また、図５は、同携帯電話機の充電方法を説明するための説明図である。
この例の携帯電話機の充電方法では、図１に示すように、共に、充電可能な二次電池からなる電池パックを有する電力受給側の携帯電話機１ａと、電力供給側の携帯電話機１ｂとを、充電用ケーブル２を介して接続し、携帯電話機１ｂから電力を携帯電話機１ａへ出力し、携帯電話機１ａの電池パックを充電する。
この例では、電力受給側の携帯電話機１ａと、電力供給側の携帯電話機１ｂとは、略同一の構成とされ、共に、他の携帯端末からの電力受給機能と、他の携帯端末への電力供給機能とを有している。
【００２４】
携帯電話機１ａ（１ｂ）は、図２に示すように、当該携帯電話機本体の構成各部を制御する制御部４ａ（４ｂ）と、制御部４ａ（４ｂ）が実行する処理プログラムや各種データ等を記憶するための記憶部５ａ（５ｂ）と、電池パックを有してなる電源部６ａ（６ｂ）と、アンテナ７ａ（７ｂ）を介して無線電波の送受信を行い、所定のプロトコルに従って通話やデータ通信を行うために用いられる無線通信部８ａ（８ｂ）と、例えば周囲の風景や人物等を撮影するための電子カメラユニット９ａ（９ｂ）と、ＬＥＤを有し例えば着信時や通話時に発光する発光部１１ａ（１１ｂ）と、折畳時に内側となる側に配設され液晶表示装置からなり例えば文字メッセージや、機能設定画面、撮像画面、待受画面等が表示される表示部１２ａ（１２ｂ）と、数字や文字の入力操作等を行うための多数の各種操作キー等からなる操作部１３ａ（１３ｂ）と、送話音声を入力するマイクロフォンからなる送話部１４ａ（１４ｂ）と、受話音声を出力するスピーカからなる受話部１５ａ（１５ｂ）と、着信時に着信音を発生すると共に、撮影時に擬似シャッタ音を発生する音声出力部１６ａ（１６ｂ）とから概略構成されている。
【００２５】
制御部４ａ（４ｂ）は、ＣＰＵ（中央処理装置）等を有してなり、記憶部５ａ（５ｂ）に記憶された各種処理プログラムを実行し、記憶部５ａ（５ｂ）に確保された各種レジスタやフラグを用いて、構成各部を制御し、充電制御処理や、通信制御処理、操作制御処理、表示制御処理、撮像情報処理等を実行する。
充電制御処理は、通常充電モード処理、他機受給モード処理、及び他機供給モード処理を含んでいる。
【００２６】
制御部４ａ（４ｂ）は、通常充電モード処理では、通常充電モードが選択された場合に、充電アダプタが接続されたか否かを検知し、検知時に充電回路を動作させ、非検知時に充電回路を停止させる。
また、制御部４ａ（４ｂ）は、他機受給モード処理では、他機受給モードが選択された場合に、充電ケーブル２が接続されたか否かを検知し、検知時に残容量判定処理を行い、非検知時に昇降圧回路２４ａ（２４ｂ）及び充電回路２１ａ（２１ｂ）を停止させ、残容量判定処理で、電圧検出部２３ａ（２３ｂ）によって測定された入力電圧が、所定値以上であるか否かを判定し、所定値以上のときに昇降圧回路２４ａ（２４ｂ）及び充電回路２１ａ（２１ｂ）を充電完了となるまで動作させ、所定値以下のときに昇降圧回路２４ａ（２４ｂ）及び充電回路２１ａ（２１ｂ）を停止させる。
また、制御部４ａ（４ｂ）は、他機供給モード処理では、他機供給モードが選択された場合に、充電ケーブル２が接続されたか否かを検知し、検知時に電圧供給を行い、非検知時に電圧供給を停止する。
【００２７】
記憶部５ａ（５ｂ）は、ＲＯＭ、ＲＡＭ等の半導体メモリ等からなり、制御部４ａ（４ｂ）が実行する充電制御処理プログラムや、通信制御処理プログラムや、操作制御処理プログラム、表示制御処理プログラム、撮像情報処理プログラム、ブラウザ、メーラ等の各種処理プログラム等が記憶されたプログラム記憶領域と、例えば、電池パック１９ａ（１９ｂ）の残容量等の許容値に対応する入力電圧値等の各機能の設定情報や通信履歴情報、電話帳情報、文字メッセージ情報等の各種情報が記憶された情報記憶領域とを有すると共に、この記憶部５ａ（５ｂ）には、制御部４ａ（４ｂ）がプログラム実行時に用いる各種レジスタやフラグが確保されている。
【００２８】
この例の電源部６ａ（６ｂ）は、筐体に設けられ充電用ケーブル２を接続するための充電用コネクタ１８ａ（１８ｂ）と、例えば、リチウムイオン二次電池等の充電可能な電池からなる電池パック１９ａ（１９ｂ）と、電池パック１９ａ（１９ｂ）を充電するための充電回路２１ａ（２１ｂ）と、電池パック１９ａ（１９ｂ）に対応した（適合した）ＡＣアダプタを接続して充電を行う通常充電モードと、別の携帯電話機からの電力の供給を受けるための他機受給モードと、別の携帯電話機へ電力を供給するための他機供給モードとを切り換えるためのモード切換スイッチ２２ａ（２２ｂ）と、充電用コネクタ１８ａ（１８ｂ）を介して入力された電圧を測定するための電圧検出部２３ａ（２３ｂ）と、例えば、入力された電圧を充電可能な電圧へ昇圧する昇降圧回路２４ａ（２４ｂ）とを有している。
【００２９】
電池パック１９ａ（１９ｂ）は、リチウムイオン二次電池等の充電可能な電池が格納されると共にその側壁部に長尺な小型基板が配設された扁平な略直方体形状の電池パック本体と、電池パック本体と携帯電話機本体とを電気的に接続するための端子接続部材と、端子接続部材が取り着けられた電池パック本体を保護する外装体とを有してなっている。
電池パック１９ａ（１９ｂ）は、筐体の裏面側に設けられた電池格納部内に着脱自在に装着され、かつ、平板状の電池カバーが筐体に着脱自在に取り着けられている。
【００３０】
モード切換スイッチ２２ａ（２２ｂ）は、通常充電用端子と、他機供給用端子と、他機受給用端子とのうち１つの端子と、充電用コネクタ１８ａ（１８ｂ）とを接続する。
充電回路２１ａ（２１ｂ）は、制御部４ａ（４ｂ）によって制御され、電池パック１９ａ（１９ｂ）に充電電流を供給する。
電圧検出回路２２ａ（２２ｂ）は、例えば、他機受給モードでは、供給元の携帯端末の電池パックの残容量に対応する入力電圧を検出する。
昇降圧回路２１ａ（２１ｂ）は、例えば、入力電圧を電池パック１９ａ（１９ｂ）に対して充電可能な電圧へ昇圧する。
【００３１】
無線通信部８ａ（８ｂ）は、ＲＦ回路や、変復調回路、ベースバンド処理回路等からなり、音声やデータを変調してアンテナ７ａ（７ｂ）を介して無線電波として送信すると共に、無線電波をアンテナ７を介して受信して音声やデータに復調し、所定のプロトコルに従って通話やデータ通信を行うために用いられる。
電子カメラユニット９ａ（９ｂ）は、上側筐体の折畳時に外側となる面に設けられ、被写体から到来した光が入射する撮影窓部と、撮影窓部の近傍に配置された例えば標準レンズからなるカメラレンズと、カメラレンズを介して結像した画像を光電変換して電気信号としての画像信号を出力するＣＣＤ撮像素子等からなる撮像デバイスと、撮像デバイスから送られてきた画像信号をＡ／Ｄ変換し、デジタル化した信号にガンマ変換、色空間変換等の画像処理を施す画像処理部とを有している。
【００３２】
表示部１２ａ（１２ｂ）は、上側筐体の折畳時に内側となる面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００３３】
操作部１３ａ（１３ｂ）は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部１２ａ（１２ｂ）に表示された表示画面上のカーソルを上下左右方向へ移動させるためのカーソルキーと、例えば数字等を入力するためのテンキー群とを有している。
【００３４】
上述した共に充電可能な二次電池からなる電池パックを有する電力受給側の携帯電話機１ａと、電力供給側の携帯電話機１ｂとが、充電用ケーブル２を介して接続可能とされて、この例の携帯電話機の充電システムが構成される。
【００３５】
次に、図３乃至図５を参照して、上記構成の携帯電話機の充電方法について説明する。
両携帯電話機１ａ，１ｂの電源キーが押下され、電源が投入された後、制御部４ａ（４ｂ）は、操作者による入力操作や着信を待機する待受モードに入り、表示部１２ａ（１２ｂ）には待受画面を表示させる。
なお、ここでは、例として、携帯電話機１ａでは他機供給モードは選択されず、携帯電話機１ｂでは他機受給モード及び通常充電モードは選択されない場合について述べる。
【００３６】
携帯電話機１ｂの操作者が、操作部１３ｂを用いて、モード切替のための所定のキー操作を行った場合に、制御部４ｂは、モード切替操作を検知し（ステップＳＢ１１（図４））、他機供給モードが選択されたと判定すると（ステップＳＢ１２）、他機供給モードへ移行し（ステップＳＢ１３）、図５に示すように、モード切換スイッチ２２ｂを制御して切り換える。
【００３７】
操作者は、モード切替のためのキー操作を行った後、充電用ケーブル２を充電用コネクタ１８ａ，１８ｂに接続する。
制御部４ｂは、ステップＳＢ１４で、充電ケーブル２が接続されているか否かを判定し、接続されていると判定した場合にはステップＳＢ１５へ進んで、電圧供給を行い、接続されていないと判定した場合にはステップＳＢ１６へ進んで、電圧供給を停止する。
【００３８】
一方、携帯電話機１ａの操作者が、操作部１３ａを用いて、モード切替のための所定のキー操作を行った場合に、制御部４ａは、モード切替操作を検知し（ステップＳＡ１１（図３））、ステップＳＡ１２で、他機受給モードが選択されたと判定すると、ステップＳＡ１３へ進んで、他機受給モードへ移行する。
次に、制御部４ａは、ステップＳＡ１４で、充電ケーブル２が接続されているか否かを判定し、接続されていると判定した場合にはステップＳＡ１５へ進み、接続されていないと判定した場合にはステップＳＡ１８へ進む。
【００３９】
ステップＳＡ１５では、制御部４ａは、電圧検出部２３ａによって測定された入力電圧に基づいて、携帯電話機１ｂの電池パック１９ｂの残容量の検知を行う。すなわち、電圧検出部２３ａへの入力電圧が所定値以下である場合には、電池パック１９ｂの容量が残り僅かであるものと判定する。
制御部４ａは、十分な残容量有りと判定した場合は、図５に示すように、モード切換スイッチ２２ａを制御して切り換えた後、ステップＳＡ１６へ進み、残容量不十分と判定した場合は、ステップＳＡ１８へ進む。
【００４０】
ステップＳＡ１６では、制御部４ａは、昇降圧回路２４ａ及び充電回路２１ａを制御し、動作させる（オン状態）とする。これにより、昇降圧回路２４ａは、例えば、入力電圧を充電可能な電圧へ昇圧する。充電回路２１ａは、制御部４ａによって制御され、電池パック１９ａに充電電流を供給する。
次に、制御部４ａは、例えば、電池パック１９ａの充電電流や電池電圧等を監視し、充電完了か否か判定し（ステップＳＡ１７）、充電完了と判定すると、ステップＳＡ１８へ進み、充電未了と判定すると、ステップＳＡ１５へ戻り、残電池容量の監視を継続する。
【００４１】
ステップＳＡ１８で、制御部４ａは、昇降圧回路２４ａ及び充電回路２１ａを制御し、停止させる。例えば、電池パック１９ｂの残容量が不十分の場合に、昇降圧回路２４ａが動作しないことにより、供給元の携帯電話機１ｂの電池パック１９ｂから携帯電話機１ａへの過剰な電力供給が抑えられ、携帯電話機１ｂの動作のために必要な電圧が維持され、その動作が保証される。
この後、充電ケーブル２が取り外され、制御部４ｂが、ステップＳＢ１４（図４）で、充電ケーブル２が接続されていないとを判定すると、電圧供給が停止される。
【００４２】
なお、制御部４ａは、ステップＳＡ１２（図３）で、通常充電モードが選択されたと判定すると、ステップＳＡ１９へ進んで、通常充電モードへ移行し、モード切換スイッチ２２ａを制御して切り換える。
次に、制御部４ａは、充電アダプタが接続されているか否かを判定し、接続されていると判定した場合にはステップＳＡ２１へ進み、接続されていないと判定した場合にはステップＳＡ２３へ進む。
【００４３】
ステップＳＡ２１では、制御部４ａは、充電回路２１ａを制御し、動作させる（オン状態）とする。
次に、制御部４ａは、例えば、電池パック１９ａの電圧値等を監視し、充電完了か否か判定し（ステップＳＡ２２）、充電完了と判定すると、ステップＳＡ２３へ進み、充電未了と判定すると、ステップＳＡ２１へ戻る。
ステップＳＡ２３で、制御部４ａは、充電回路２１ａを制御し、停止させる。
【００４４】
このように、この例の構成によれば、携帯電話機の電池の残容量が不足し、動作不能の場合に、簡単に充電を行うことができ、かつ、例えば、移動中等でコンセント等の電源が近くにない状況でも、手軽に充電を行って、携帯電話機を動作させることができる。
また、制御部４ａは、電圧検出部２３ａによって測定された入力電圧に基づいて、携帯電話機１ｂの電池パック１９ｂの残容量の検知を行い、十分残容量有りと判定した場合は、昇降圧回路２４ａ及び充電回路２１ａを動作させ、残容量不十分と判定した場合は、昇降圧回路２４ａ及び充電回路２１ａを停止させるので、例えば、供給側の携帯電話機１ｂの電池パック１９ｂが、放電し過ぎないように、保護することができ、供給側の携帯電話機１ｂに悪影響が及ぶことを防止することができる。
【００４５】
また、制御部４ａは、電圧検出部２３ａによって測定された入力電圧に基づいて、昇降圧回路２４ａを動作させて、例えば、入力された電圧を充電可能な電圧へ昇圧させるので、確実に充電することができると共に、汎用性及び融通性を向上させ、電力供給元として、比較的多種類の携帯端末等を使用することができる。
また、コンセント等の通常の電源がない環境でも、電源を確保できるので、緊急時でも対応することができる。
【実施例２】
【００４６】
図６は、この発明の第２の実施例である携帯電話機の電源部の構成を説明するためのブロック図、また、図７は、同携帯電話機の充電のために用いられるＡＣアダプタの構成を説明するためのブロック図である。
この例が上述した第１の実施例と大きく異なるところは、携帯電話機の電池パックに、規格の異なる別種のＡＣアダプタを用いても充電可能なように構成した点である。
これ以外の構成は、上述した第１の実施例の構成と略同一であるので、その説明を簡略にする。
【００４７】
この例の携帯電話機の充電方法では、図６に示すように、携帯電話機３１にＡＣアダプタ３２を接続して充電を行う。
この携帯電話機３１の電源部３３は、筐体に設けられＡＣアダプタ３２の出力用プラグ４４を接続するための充電用ジャック３４と、例えば、リチウムイオン二次電池等の充電可能な電池からなる電池パック３５と、電池パック３５を充電するための充電回路３６と、ＡＣアダプタ３２を接続して充電を行う充電モードと、別の携帯電話機へ電力を供給するための他機供給モードとを切り換えるためのモード切換スイッチ３７と、ＡＣアダプタ３２を介して入力された電圧を測定するための電圧検出部３８と、例えば、入力された電圧を充電可能な電圧へ例えば降圧する昇降圧回路３９とを有している。
【００４８】
この例では、ＡＣアダプタ３２としては、電池パック３５に対応した規格が適合したＡＣアダプタのほか、例えば、出力電圧がこの電池パック３５に非対応のものを含む。
ＡＣアダプタ３２は、図７に示すように、ＡＣプラグを介して、例えばＡＣ１００Ｖの商用電源から得られた交流電圧を降圧する変圧部４１と、整流回路部４２と、整流回路部４２によって得られた電圧を安定化させて所定の直流電圧を出力する安定化回路部４３とを有し、出力用プラグ４４を介して、携帯電話機に接続される。
【００４９】
携帯電話機３１の制御部は、電圧検出部３８によって測定された入力電圧に基づいて、昇降圧回路３９を制御し、ＡＣアダプタ３２がこの電池パック３５に非対応のもので、例えば、ＡＣアダプタ３２の出力電圧が、予め設定された規定値よりも高く、電池パック３５にとって異常電圧であるような場合には、充電可能な電圧へ降圧させる。
規格が適合したＡＣアダプタを用いる通常充電では、昇降圧回路３９において、入力電圧と出力電圧とは、同一値となる。
【００５０】
この例の構成によれば、制御部は、電圧検出部３８によって測定された入力電圧に基づいて、昇降圧回路３９を動作させて、例えば、入力された電圧を充電可能な電圧へ降圧させるので、汎用性及び融通性を向上させることができ、電力供給元として、比較的多種類のＡＣアダプタ等を使用することができる。したがって、規格が異なる異種のＡＣアダプタを用いても充電を行うことができる。
また、電源電圧に合わせて、電圧を調節することができるので、例えば、自動車電源でも家庭用交流電源でも対応することができる。
また、例えば、誤って別種のＡＣアダプタを接続しても、安全に、かつ、確実に充電を行うことができる。
【実施例３】
【００５１】
図８は、この発明の第３の実施例である携帯電話機の充電方法を説明するための説明図である。
この例が上述した第１の実施例と大きく異なるところは、供給側で昇圧した後に、受給側に電力が供給される点、及び供給側で残容量検知と供給可否判定とを行うように構成した点である。
これ以外の構成は、上述した第１の実施例の構成と略同一であるので、その説明を簡略にする。
【００５２】
この例の携帯電話機の充電方法では、図８に示すように、共に、充電可能な二次電池からなる電池パックを有する電力受給側の携帯電話機５１ａと、電力供給側の携帯電話機５１ｂとを、充電用ケーブル５２を介して接続し、携帯電話機５１ｂから電力を充電対象の携帯電話機５１ａへ出力し、携帯電話機５１ａの電池パックを充電する。
この例では、電力受給側の携帯電話機５１ａと、電力供給側の携帯電話機５１ｂとは、略同一の構成とされ、共に、他の携帯端末からの電力受給機能と、他の携帯端末への電力供給機能とを有し、電力供給時に昇降圧回路において昇圧する。なお、電力受給時には昇圧は行わない。
【００５３】
この例の携帯電話機５１ａの電源部５３ａは、筐体に設けられ充電用ケーブル５２を接続するための充電用コネクタ５４ａ（５４ｂ）と、例えば、リチウムイオン二次電池等の充電可能な電池からなる電池パック５５ａ（５５ｂ）と、電池パック５５ａ（５５ｂ）を充電するための充電回路５６ａ（５６ｂ）と、充電を行う通常充電モードと、別の携帯電話機へ電力を供給するための他機供給モードとを切り換えるためのモード切換スイッチ５７ａ（５７ｂ）と、電池パック５５ａ（５５ｂ）の電圧を測定するための電圧検出部５８ａ（５８ｂ）と、例えば、入力された電圧を、供給先の携帯電話機の電池パックに対して充電可能な電圧へ昇圧する昇降圧回路５９ａ（５９ｂ）とを有している。
【００５４】
この例では、電力供給側の携帯電話機５１ｂの制御部（電源制御手段）は、昇降圧回路５９ｂを制御し、自機内で昇圧させてから、携帯電話機５１ａへ電力を供給し、例えば、供給中に自機の電池パック５５ｂの出力電圧が低下し、残容量が足りなくなると、供給を停止させる。
【００５５】
この例の構成によれば、上述した第１の実施例と略同様の効果を得ることができる。
加えて、受給側の携帯電話機の構成を簡素化することができる。
【００５６】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、電池パックとして、リチウムイオン二次電池を用いる場合について述べたが、これに限らず、例えば、ポリマー電池、ニッケル水素蓄電池、ニッケルカドミウム蓄電池等から構成するようにしても良い。
【００５７】
また、供給側の携帯電話機の電池は、必ずしも二次電池でなくても良い。また、携帯端末が、二次電池を含む複数の電源を有する場合に、自機内の別の電源から二次電池へ電力を供給する際にも適用することができる。
また、受給側の携帯電話機と、供給側の携帯電話機とで、必ずしも同一構成としなくても良い。例えば、受給側の携帯電話機として、受給のみ可能な構成としても良い。この場合、受給側の携帯電話機の供給側端子を廃して、電力供給機能を省略しても良い。また、受給側の携帯電話機に、供給用の昇圧回路（出力電圧調整回路）を付加しても良い。また、携帯端末として、必ずしも携帯電話機同士を接続して充電しなくても良い。
【００５８】
また、供給側の携帯電話機として、供給のみ可能な構成としても良い。すなわち、供給専用として用いる場合には、他機への供給と、少なくとも、通常充電とを切り換える機能を有した切換スイッチが設けられていれば良い。
また、制御処理の一部又は全部を専用のハードウェアを用いて行い、一部を対応するプログラムを実行して処理するようにしても良い。
また、充電システムを３機以上の携帯電話機から構成しても良い。
また、供給側の携帯電話機を、その少なくとも一部の負荷への電力の供給を制限する低消費電力モードにしても、電力の供給を継続するようにしても良い。
【００５９】
また、第１の実施例で、通常充電接点と、受給用接点とを共通として、通常充電では、昇降圧回路で無処理としても良い。また、受給側の携帯電話機及び供給側の携帯電話機で、で、モード切換を、制御部の制御によらず、手動によって行うようにしても良い。
また、第１の実施例で、供給側の電源キーがオフ状態でも供給可能なように構成しても良い。また、充電用ケーブルを接続した後に、モード切換を行うようにしても良い。
【００６０】
また、第１の実施例で、専用の充電用ケーブルを接続のみで、操作部を操作することなく、自動的に切換処理が行われるように構成しても良い。
また、第１の実施例で、操作部を用いて、操作者が、所定のキー操作を行って、制御部が充電のモード切換えを行う場合について述べたが、専用の切換スイッチを設けて、操作者が直接切換操作を行うようにしても良い。
また、第１の実施例で、制御部が残容量の判定を行う場合について述べたが、別の独立した構成要素が行うようにしても良い。
【００６１】
また、第２の実施例で、昇圧回路を受給用と、供給用とで、それぞれ専用としても良いし、切換回路を用いて兼用としても良い。また、モード切換スイッチを廃して、他機への電力供給機能を省略しても良い。
また、第３の実施例で、電力受給時にも昇圧を行うように、受給用の昇降圧回路及び電圧検出部を追加するようにしても良い。また、昇降圧回路及び電圧検出部を、供給用と受給用とで兼用として、切り換えて用いるように構成しても良い。
【産業上の利用可能性】
【００６２】
携帯端末としては、携帯電話機のほか、簡易型携帯電話（ＰＨＳ）端末や、携帯情報端末（ＰＤＡ）、携帯型のコンピュータを用いる場合に適用できる。
【図面の簡単な説明】
【００６３】
【図１】この発明の第１の実施例である携帯電話機の充電方法を説明するための説明図である。
【図２】同携帯電話機の構成を示すブロック図である。
【図３】同携帯電話機の充電方法を説明するための処理手順図である。
【図４】同携帯電話機の充電方法を説明するための処理手順図である。
【図５】同携帯電話機の充電方法を説明するための説明図である。
【図６】この発明の第２の実施例である携帯電話機の電源部の構成を説明するためのブロック図である。
【図７】同携帯電話機の充電のために用いられるＡＣアダプタの構成を説明するためのブロック図である。
【図８】この発明の第３の実施例である携帯電話機の充電方法を説明するための説明図である。
【符号の説明】
【００６４】
１ａ，５１ａ      携帯電話機（携帯端末、第１の携帯端末）
１ｂ，５１ｂ      携帯電話機（携帯端末、第２の携帯端末）
２，５２      充電用ケーブル
４ａ，４ｂ      制御部（充電制御手段）
１９ａ，３５，５５ａ    電池パック（二次電池）
１９ｂ，５５ｂ    電池パック（供給電源、電池）
２１ａ，２１ｂ，３６，５６ａ，５６ｂ      充電回路
２４ａ，２４ｂ，３９      昇降圧回路（電圧調整回路）
３１      携帯電話機（携帯端末）
５９ｂ      昇降圧回路（電圧調整回路）
【図１】
2007215249.tif 000003
【図２】
2007215249.tif 000004
【図３】
2007215249.tif 000005
【図４】
2007215249.tif 000006
【図５】
2007215249.tif 000007
【図６】
2007215249.tif 000008
【図７】
2007215249.tif 000009
【図８】
2007215249.tif 000010